(57)【要約】      （修正有）【課題】隅部を高精度に組立可能とし対象動物の乗り越えを防止できる乗越防止柵を提供する。【解決手段】柵本体２０と、柵本体２０の辺上に設けられた返しパネル部１００と、柵本体２０の隅部上に設けられたコーナー返しパネル部２００を具備し、柵本体２０は、所定領域Ｓを囲み、地上に設置されるベースフレーム３０と、ベースフレーム３０の各辺上部に着脱可能に取り付けられた直線下部パーツ４０及びコーナー下部パーツ５０と、直線下部パーツ４０の上に着脱可能に取り付けられた直線上部パーツ６０及びコーナー上部パーツ７０と、網部４３，５３，６３，７３を備え、コーナー上部パーツ７０上に着脱可能に取り付けられたブラケットと、ブラケット間に着脱可能に取り付けられた取付パイプと、取付パイプに取り付けられた所定領域Ｓ側に凹面を有する上パネル２３０及び下パネル２４０を備えている。【選択図】図１
2018201385.tif 000002
【特許請求の範囲】
【請求項１】
水平方向の２つの辺が交差して構成される隅部を少なくとも１つ有して所定領域を連続的に囲む柵本体と、
この柵本体の前記辺上に設けられた返しパネル部と、
前記柵本体の前記隅部上に設けられたコーナー返しパネル部を具備し、
前記柵本体は、前記所定領域を囲み、地上に設置されるベースフレームと、このベースフレームの前記辺上部に着脱可能に取り付けられた直線パーツと、前記ベースフレームの前記隅部上部に着脱可能に取り付けられたコーナーパーツと、前記直線パーツ、前記コーナーパーツにそれぞれ設けられた網部を備え、
前記返しパネル部は、前記直線パーツ上に着脱可能に取り付けられた直線部ブラケットと、前記直線部ブラケット間に着脱可能に取り付けられた直線状取付パイプと、前記直線状取付パイプ上に着脱可能に取り付けられた直線用パネルを備え、
前記コーナー返しパネル部は、前記コーナーパーツ上に着脱可能に取り付けられたコーナー部ブラケットと、前記コーナー部間に着脱可能に取り付けられた円弧状取付パイプと、前記円弧状取付パイプ上に取り付けられた前記所定領域側に凹面を有するコーナーパネルを備えている乗越防止柵。
【請求項２】
前記直線パーツは、前記ベースフレームの前記辺上部に着脱可能に取り付けられた直線下部パーツと、この直線下部パーツの上に着脱可能に取り付けられた直線上部パーツとを有する請求項１に記載の乗越防止柵。
【請求項３】
前記コーナーパーツは、前記ベースフレームの前記隅部上部に着脱可能に取り付けられたコーナー下部パーツと、このコーナー下部パーツ上に着脱可能に取り付けられたコーナー上部パーツとを有する請求項１に記載の乗越防止柵。
【請求項４】
前記隅部において、前記直線用パネルの水平方向両端部と前記コーナーパネルの水平方向両端部とは積層配置され、前記直線用パネルが上側に配置されている請求項１に記載の乗越防止柵。
【請求項５】
前記円弧状取付パイプは、それぞれは同一水平面内に位置決めされている複数のパイプから構成されている請求項１に記載の乗越防止柵。
【発明の詳細な説明】
【技術分野】
【０００１】
本発明は、所定の用地をその内外で仕切る乗越防止柵に関し、特に、対象動物が柵を登って越えることを防止する乗越防止柵に関する。
【背景技術】
【０００２】
畑等の耕作地において、対象動物による獣害を防止するため、対象動物が乗り越えられない柵を設置することがある。例えば、畑の周囲に網部やネット等の網部で構成される柵を設置し、外部からの対象動物の侵入を防止するようにしている。このような柵は通常上部は開放されていることから、猿等の対象動物は、網部に前脚を掛け、掴み、あるいは爪を掛けることにより側部を登ることができ、外部から畑側に侵入する可能性がある。このため、電気柵、有刺線等を用い、対象動物が柵本体を登るのを防ぐ方法が知られている（例えば、特許文献１参照）。
【０００３】
一方、対象動物が柵本体に登ったとしても、柵を乗り越えることができないように前脚を掛けたり、爪が引っ掛けたりすることを防止するパネル材（波型や平型等）を柵上に配置した構造も知られている（例えば、特許文献２参照）。このような構造において、柵の外側から柵の内側へは侵入できるが、柵の内側から柵の外側に出られないようにすることで、一旦、柵の内側に入った対象動物を捕獲し、また、減少させるための対象動物捕獲管理施設とすることも可能である。
【先行技術文献】
【特許文献】
【０００４】
【特許文献１】特開２００３−１５８９８６号公報
【特許文献２】特開２００９−１１２６３号公報
【発明の概要】
【発明が解決しようとする課題】
【０００５】
上述したような対象動物捕獲管理施設にあっては、次のような問題があった。すなわち、対象動物捕獲管理施設は一旦設置したら長期間（数年〜十数年）動かさない固定型として設計されているのが一般的である。しかしながら、対象となる対象動物を捕獲する等して、個体数が減少した場合は施設自体が不要となるため、短期間（数ヶ月程度）で移動させる場合もある。このような場合、固定型の施設の構成部材は再利用することが難しく、無駄が多い。また、設置場所の広さや形状によって設計をその都度やり直すことになる。
【０００６】
一方、容易に組立・解体できるように柵本体やパネルを設計することも考えられる。しかしながら、対象動物の種類によっては、水平方向に延びる辺が交差する隅部において、両辺のパネルを利用して脱出することも可能である。このため、隅部に設置するパネルは曲面として、対象動物の脱出を防止することができる。また、このような部分は異なる方向からのパネルが交差することから隙間や歪みが生じやすく、パネルの組立精度が低いと、これらの僅かな隙間や歪みを利用して柵の乗り越えが可能になる場合もある。このような不具合を防止するため、高い精度で隅部のパネルを組み立てる必要があるが、曲面パネルについては、設置現場で高精度の組立を行うことは困難であった。
【０００７】
そこで、本発明は、容易に組立・解体が可能な構造を有する組立式であっても、隅部を高精度に組立可能とし対象動物の乗り越えを防止できる乗越防止柵を提供することを目的としている。
【課題を解決するための手段】
【０００８】
一実施形態に係る乗越防止柵は、水平方向の２つの辺が交差して構成される隅部を少なくとも１つ有して所定領域を連続的に囲む柵本体と、この柵本体の前記辺上に設けられた返しパネル部と、前記柵本体の前記隅部上に設けられたコーナー返しパネル部を具備し、前記柵本体は、前記所定領域を囲み、地上に設置されるベースフレームと、このベースフレームの前記辺上部に着脱可能に取り付けられた直線パーツと、前記ベースフレームの前記隅部上部に着脱可能に取り付けられたコーナーパーツと、前記直線パーツ、前記コーナーパーツにそれぞれ設けられた網部を備え、前記返しパネル部は、前記直線パーツ上に着脱可能に取り付けられた直線部ブラケットと、前記直線部ブラケット間に着脱可能に取り付けられた直線状取付パイプと、前記直線状取付パイプ上に着脱可能に取り付けられた直線用パネルを備え、前記コーナー返しパネル部は、前記コーナーパーツ上に着脱可能に取り付けられたコーナー部ブラケットと、前記コーナー部間に着脱可能に取り付けられた円弧状取付パイプと、前記円弧状取付パイプ上に取り付けられた前記所定領域側に凹面を有するコーナーパネルを備えている。
【発明の効果】
【０００９】
容易に組立・解体が可能な構造を有する組立式であっても、隅部を高精度に組立可能とし対象動物の乗り越えを防止できる。
【図面の簡単な説明】
【００１０】
【図１】本発明の第１の実施の形態に係る乗越防止柵を示す斜視図。
【図２】同乗越防止柵を構成する柵本体の要部を示す正面図。
【図３】同乗越防止柵を構成する返しパネル部を示す側面図。
【図４】同乗越防止柵を構成するコーナー返しパネル部を示す側面図。
【図５】同コーナー返しパネル部を製作するための組立治具を示す斜視図。
【図６】同コーナー返しパネル部の製作工程を示す斜視図。
【図７】同コーナー返しパネル部の製作工程を示す斜視図。
【図８】同コーナー返しパネル部のビス及びリベットの位置を示す説明図。
【発明を実施するための形態】
【００１１】
図１〜図４は、本発明の一実施形態に係る組立式の乗越防止柵１０を示している。この乗越防止柵１０は、住宅地や農地に近い対象動物捕獲管理施設や獣害対策施設等に設置されている。なお、本説明中において各部に寸法を示すが、これらの寸法に限られるものではなく、捕獲対象となる対象動物や設置する領域の形状・大きさ等によって適宜変更することが可能である。図中Ｓは対象動物を捕獲・管理する所定領域、Ｑは所定領域Ｓの水平方向の２つの辺が交差して構成される隅部を示している。
【００１２】
図１に示すように、乗越防止柵１０は、対象動物が留め置かれている所定領域Ｓを取り囲んで矩形状に配置された柵本体２０と、この柵本体２０の上部に取り付けられた返しパネル部１００及びコーナー返しパネル部２００を備えている。これら柵本体２０、返しパネル部１００及びコーナー返しパネル部２００は組立式であり、容易に組立・解体・運搬が可能となっている。なお、柵本体２０を配置する形状は矩形状に限られないが、少なくとも隅部（相異なる水平方向の辺が交差する部分）を有していることが必要となる。後述する網部４３，５３，６３，７３は、金属製又はポリエチレン等の繊維製のネットで構成されている。格子状パネルを用いてもよい。
【００１３】
柵本体２０は、地面に設置された枠状のベースフレーム３０と、このベースフレーム３０の各辺に取り付けられた複数の直線下部パーツ４０と、ベースフレーム３０の隅部Ｑに配置された複数のコーナー下部パーツ５０と、複数の直線下部パーツ４０の上にそれぞれ設けられた複数の直線上部パーツ６０と、複数のコーナー下部パーツ５０上にそれぞれ設けられた複数のコーナー上部パーツ７０と、柵本体２０内外を作業者が出入りするための出入口パーツ８０を備えている。なお、後述するパイプ、管、支柱等は、一方を他方に差し込むことができるように端部が小径に形成されている。また、差し込んだ後にボルトで締結する等して着脱可能に固定することができる。
【００１４】
図２に示すように、ベースフレーム３０は、それぞれ鋼管で形成された水平方向の横パイプ３１と、この横パイプ３１に溶接され、後述する支柱４１を差し込むための縦支持管３２とを備えている。
【００１５】
直線下部パーツ４０は、縦方向に延びる一対の支柱４１と、この一対の支柱４１の上端側に取り付けられた水平方向に延びる横パイプ４２と、これらコの字状に配置された支柱４１及び横パイプ４２に囲まれた領域に装着された網部４３を備えている。
【００１６】
コーナー下部パーツ５０は、縦方向に延びる一対の支柱５１と、この一対の支柱５１の上端側に取り付けられた円弧状の横パイプ５２と、これらコの字状に配置された支柱５１及び横パイプ５２に囲まれた領域に装着された網部５３を備えている。
【００１７】
なお、上述した支柱４１及び支柱４１、支柱４１と支柱５１が隣接する場合は、本実施形態のように共通化して支柱１本としてもよい。
【００１８】
直線上部パーツ６０は、縦方向に延びる一対の支柱６１と、この一対の支柱６１の上端側に取り付けられた水平方向に延びる横パイプ６２と、これらコの字状に配置された支柱６１及び横パイプ６２に囲まれた領域に装着された網部６３を備えている。
【００１９】
コーナー上部パーツ７０は、縦方向に延びる一対の支柱７１と、この一対の支柱７１の上端側に円弧状に湾曲した横パイプ７２と、これらコの字状に配置された支柱７１及び横パイプ７２に囲まれた領域に装着された網部７３を備えている。
【００２０】
なお、上述した支柱６１及び支柱６１、支柱６１と支柱７１が隣接する場合は、本実施形態のように共通化して支柱１本としてもよい。
【００２１】
図３に示すように、返しパネル部１００は、直線上部パーツ６０の上端に取り付けられたブラケット（直線部ブラケット）１１０を備えている。上述したブラケット１１０は、支柱６１の上端から内側斜め下方へ延びる縦壁材１１１と、この縦壁材１１１の上縁に取り付けられた上壁材１１２を備えている。各ブラケット１１０の各上壁材１１２の間には、上壁材１１２の長手方向に沿って所定の間隔をもって配置された３本の取付パイプ（直線状取付パイプ）１２０〜１２２が設けられている。また、これらの取付パイプ１２０〜１２２には直線用パネル１３０が配置されている。支柱６１と縦壁材１１１との間には、補強部材１１３が設けられており、ブラケット１１０が支柱６１に固定されている。
【００２２】
図４に示すように、コーナー返しパネル部２００は、コーナー上部パーツ７０の上端に取り付けられたブラケット（コーナー部ブラケット）２１０を備えている。上述したブラケット２１０は、支柱７１の上端から内側斜め下方へ延びる縦壁材２１１と、この縦壁材２１１の上縁に取り付けられた上壁材２１２を備えている。縦壁材２１１の上端と上壁材２１２の上端とは一致しているが、上壁材２１２の全長は縦壁材２１１の全長の３／４程度に設定されており、ブラケット２１０の先端側は上壁材２１２が形成されている。
【００２３】
各ブラケット２１０の各上壁材２１２の間には、上壁材２１２の長手方向に沿って所定の間隔をもって配置された３本の取付パイプ（円弧状取付パイプ）２２０〜２２２が設けられている。また、これらの取付パイプ１２０〜１２２には上パネル（コーナーパネル）２３０及び下パネル２４０が設けられている。支柱７１と縦壁材２１１との間には、補強部材２１３が設けられており、ブラケット２１０が支柱７１に固定されている。上パネル２３０及び下パネル２４０は、所定領域Ｓ側に凹となるすり鉢状の曲面に形成されている。
【００２４】
図５は、コーナー上部パーツ７０及びコーナー返しパネル部２００を製作するための組立治具３００を示している。組立治具３００は、床面に載置される１辺が例えば１ｍ程度の角枠体３１０と、この角枠体３１０の対角に位置する隅部Ｑに立設するパイプからなる縦部材３２０を備えている。縦部材３２０の先端は小径に形成されている。なお、角枠体３１０には、補強部材３１１が取り付けられている。また、縦部材３２０には補強部材３２１が取り付けられている。これら補強部材３１１，３２１が設けられていることにより、組立治具３００に生じる歪みを最小限に抑えている。
【００２５】
このような乗越防止柵１０は、次のようにして組み立てられる。コーナー上部パーツ７０及びコーナー返しパネル部２００を作成するコーナー上部パーツ作成工程と、作成されたコーナー上部パーツ７０を含めた全てのパーツを組み立てる全体組立工程とからなっている。
＜コーナー上部パーツ作成工程＞
図５に示すように、組立治具３００を床面上に設置する。図６に示すように、組立治具３００の縦部材３２０に、コーナー上部パーツ７０の一対の支柱７１を挿入する。この時、支柱７１は縦部材３２０の小径部に嵌まる。これら一対の支柱７１に一対のブラケット２１０をそれぞれボルト等によって取り付ける。一対のブラケット２１０の間に、取付パイプ２２０〜２２２をそれぞれの円弧曲線が同一の水平面内となるように位置決めし、これら取付パイプ２２０〜２２２の両端を一対のブラケット２１０にネジ留めする。このとき、取付パイプ２２０〜２２２の曲率は必要に応じて高精度に調整する。図７に示すように、これらの取付パイプ２２０〜２２２上に上パネル２３０を位置決めする。
【００２６】
図８に示すように、上パネル２３０の表面側からビスＢを取付パイプ２２０に向けて差し込んで５〜７箇所を固定する。次に、上パネル２３０の表面側からビスＢを取付パイプ２２１に向けて差し込んで固定する。この時、ビスＢの配置する位置は水平方向両端側と中央部の３箇所とする。
【００２７】
次に、下パネル２４０の上端を上パネル２３０の裏面と取付パイプ２２２との間に差し込み、取付パイプ２２２の位置よりも下パネル２４０の上端が上方となるように位置決めする。また、下パネル２４０の下端の位置（地面からの高さ）を対象動物が飛びついたりしない高さとすることが望ましい。
【００２８】
次に、上パネル２３０及び下パネル２４０の表面側から取付パイプ２２２に向けてビスＢによって固定する。この時、ビスＢは水平方向両端側と中央部の３箇所とする。次に、上パネル２３０及び下パネル２４０を取付パイプ２２２が配置されている位置とは異なる位置でリベットＲによって固定する。この時、リベットＲは中央部の３箇所とする。なお、上パネル２３０及び下パネル２４０は、取付パイプ２２０〜２２２の曲面に沿った形状となり、高精度なすり鉢状の曲面となる。コーナー上部パーツ７０は、縦部材３２０に挿入されているだけであるので、容易に組立治具３００から取り外せる。
【００２９】
なお、上述した工程は、乗越防止柵１０を設置する対象動物捕獲管理施設や獣害対策施設等で行っても良いが、取付パイプ２２０〜２２２を高精度に調整するため、工場等の別の場所で製作するようにしてもよい。
＜全体組立工程＞
次に、全体組立工程を進める。最初に、横パイプ３１を所定領域Ｓの周囲を取り囲むように固定し、ベースフレーム３０を設置する。次に、縦支持管３２に、直線下部パーツ４０、コーナー下部パーツ５０及び出入口パーツ８０を取り付ける。これらのパーツ相互はボルトや金属ワイヤ等で固定する。
【００３０】
続いて、直線下部パーツ４０上に直線上部パーツ６０を差し込み、コーナー下部パーツ５０上にコーナー上部パーツ７０を差し込み、ボルトや金属ワイヤ等を用いて固定する。
【００３１】
次に、返しパネル部１００においては、直線上部パーツ６０の上端にブラケット１１０を取り付ける。さらに、ブラケット１１０に、３本の取付パイプ１２０〜１２２を取り付ける。そして、取付パイプ１２０〜１２２上に直線用パネル１３０をビスＢによって取り付けてゆく。
【００３２】
直線用パネル１３０のうち、隅部Ｑ側の端部は、上パネル２３０及び下パネル２４０と重なるため、次のような処理を行う。
【００３３】
上パネル２３０及び下パネル２４０を取付パイプ２２０〜２２２に留め付けたビスＢのうち、直線用パネル１３０と重なる位置にある両端側のビスＢを取り外す。このとき、中央部のビスＢはそのままであるため、上パネル２３０及び下パネル２４０は取付パイプ２２０〜２２２から位置ずれすることはない。
【００３４】
次に、直線用パネル１３０を取り付ける。この際、直線用パネル１３０と上パネル２３０及び下パネル２４０とが重なる領域においては、直線用パネル１３０を上側とする。そして、直線用パネル１３０側からビスＢによって上パネル２３０及び下パネル２４０側へ差し込んで留め付ける。
【００３５】
このように構成された乗越防止柵１０は、次のようにして対象動物の乗越を防止する。すなわち、下パネル２４０の下端は、所定領域Ｓ内に何らかの方法で捕獲された対象動物が立ち上がって前脚が届かない位置又は飛びつけない位置となっている。また、万が一、飛び付いたとしても、直線用パネル１３０、上パネル２３０及び下パネル２４０は平滑であるため、爪等が引っ掛からず、直線用パネル１３０、上パネル２３０及び下パネル２４０を登ることができない。
【００３６】
一方、隅部Ｑにおいては、上パネル２３０及び下パネル２４０は、すり鉢状の曲面となっているため、脚部の突っ張り力は、反作用で対象動物の胴体を内部側に押圧するため登ることができない。さらに、上パネル２３０及び下パネル２４０の左右端は直線用パネル１３０によって覆われている。このため、上パネル２３０及び下パネル２４０の左右端を挟むようにして掴むことができず、やはり対象動物は、上パネル２３０及び下パネル２４０を登ることはできない。また、直線用パネル１３０の端部が隅部Ｑに位置しているため、直線用パネル１３０と上パネル２３０及び下パネル２４０の隙間が有れば、対象動物の脚部が引っ掛かる可能性があるが、上述したように上パネル２３０及び下パネル２４０は、高精度に製作されているため、隙間は極小となっており、対象動物の体を支えられるだけの隙間は生じない。
【００３７】
上述したビスＢのうち、直線用パネル１３０、上パネル２３０及び下パネル２４０の表面側に露出する頭部の寸法、形状及びビス止めの間隔は、対象動物が前脚を掛けて登り進めることができない所定の寸法及び形状に構成されている。例えばビスＢの頭部の表面は曲面状であるとともにその外径が５〜１５ｍｍ程度に構成されている。また、直線用パネル１３０、上パネル２３０及び下パネル２４０の水平面に対する傾斜角度は５０〜７０度に設定されている。
【００３８】
このように乗越防止柵１０は、容易に組立・解体・運搬できるように柵本体２０や返しパネル部１００及びコーナー返しパネル部２００が設計されており、これらは、直線部のパーツとコーナー部のパーツを組み合わせて組み立てるため、設置場所の広さや形状に応じて適宜組合せを変更して対応することが容易である。
【００３９】
対象動物が網部４３，５３，６３，７３に前脚を掛け、上方に登ることができたとしても、そこから、下方に延びた直線用パネル１３０、上パネル２３０及び下パネル２４０に前脚が届かないため、それ以上進むことができない。また、この直線用パネル１３０、上パネル２３０及び下パネル２４０は爪や前脚を掛ける部分がないため、対象動物が登ることができない。
【００４０】
一方、上パネル２３０及び下パネル２４０を高精度に組み立てているため、対象動物が前脚を引っ掛けやすい僅かな歪みや３ｍｍ以上の隙間が生じることがなく、対象動物の脱出を防止することができる。また、上パネル２３０及び下パネル２４０の両端上に直線用パネル１３０が重なって配置されているため、対象動物が隙間に脚部をかけても体を支えにくく、脱出することは不可能である。
【００４１】
なお、平滑な直線用パネル１３０、上パネル２３０及び下パネル２４０を備えただけの単純な構成で、確実に乗越えを防止することができるため設置費用を低く押さえることができる。また、有刺線や電気柵など、対象動物を脅かすことで侵入を妨げる方法ではなく、危害を加えずに侵入を防止することが可能である。
【００４２】
また、コーナー上部パーツ７０及びコーナー返しパネル部２００を乗越防止柵１０の設置現場で製造する必要が無いことから、高精度な調整が可能である工場等で製造すれば、上パネル２３０及び下パネル２４０に高精度な曲面を形成できるため、より対象動物の脱出可能性を低減できる。
【００４３】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００４４】
１０…乗越防止柵、２０…柵本体、３０…ベースフレーム、３１…横パイプ、３２…縦支持管、４０…直線下部パーツ、４１…支柱、４２…横パイプ、４３…網部、５０…コーナー下部パーツ、５１…支柱、５２…横パイプ、５３…網部、６０…直線上部パーツ、６１…支柱、６２…横パイプ、６３…網部、７０…コーナー上部パーツ、７１…支柱、７２…横パイプ、７３…網部、８０…出入口パーツ、１００…返しパネル部、１１０…ブラケット（直線部ブラケット）、１１１…縦壁材、１１２…上壁材、１１３…補強部材、１２０〜１２２…取付パイプ、１３０…直線用パネル、２００…コーナー返しパネル部、２１０…ブラケット（コーナー部ブラケット）、２１１…縦壁材、２１２…上壁材、２１３…補強部材、２２０〜２２２…取付パイプ、２３０…上パネル（コーナーパネル）、２４０…下パネル、３００…組立治具、３１０…角枠体、３１１…補強部材、３２０…縦部材、３２１…補強部材、Ｓ…所定領域、Ｑ…隅部、Ｂ…ビス、Ｒ…リベット。
【図１】
2018201385.tif 000003
【図２】
2018201385.tif 000004
【図３】
2018201385.tif 000005
【図４】
2018201385.tif 000006
【図５】
2018201385.tif 000007
【図６】
2018201385.tif 000008
【図７】
2018201385.tif 000009
【図８】
2018201385.tif 000010